(57)【要約】      （修正有）【課題】吐出容器の上部ポンプ機構のほぼ全部をカバーで覆うことにより、汚れを見えなくするポンプ付き吐出容器を提供する。【解決手段】容器本体２と、容器本体に設けられたポンプ機構を有するポンプ付き吐出容器１において、ポンプ機構のうち容器本体に内蔵されている部品のほぼすべてを可撓性のある軟質樹脂のカバー４で被覆する。カバーの最下端は容器本体の最上端にねじ込み又ははめ込みにより固定されており、カバーの最上端はポンプ機構の最上端に位置するノズルヘッド３４を被覆している。カバーの最上端から最下端までは、ノズルヘッド部分を除き、なだらかな曲線により形成されている。【選択図】図１
0003212641.tif 000002
【実用新案登録請求の範囲】
【請求項１】
容器本体（２）と、その容器本体（２）に設けられたポンプ機構（３）を有するポンプ付き吐出容器（１）において、
前記ポンプ機構（３）のうち前記容器本体に内蔵されている部品を除く部分のほぼすべてを可撓性のある軟質樹脂のカバー（４）で被覆したことを特徴とするポンプ付き吐出容器（１）。
【請求項２】
前記カバー（４）の最下端（４１）は前記容器本体（２）の最上端にねじ込み又ははめ込みにより固定されており、前記カバー（４）の最上端は前記前記ポンプ機構（３）の最上端に位置するノズルヘッド（３４）を被覆しており、前記カバー（４）の最上端から最下端までは、前記ノズルヘッド（３４）部分を除き、なだらかな曲線により形成されている請求項１記載の容器。
【請求項３】
前記カバー（４）を構成する前記軟質樹脂の硬度が４０〜９０（ショアＡ硬度）である請求項１又は２に記載の容器。
【請求項４】
前記カバー（４）を構成する可撓性のある軟質樹脂がシリコーンゴム、ウレタンゴム、フッ素ゴムのいずれかである請求項１〜３のいずれかに記載の容器。
【考案の詳細な説明】
【技術分野】
【０００１】
本考案は、ポンプ付き吐出容器に関する。
【背景技術】
【０００２】
ポンプ付き吐出容器は、１回手押しするごとに一定量の液体を送り出したり、その液体を泡状にしたりすることができるので、石鹸、化粧品、洗剤、薬剤等のディスペンサーとして広く使用されている。例えば、下記特許文献１その他多数の発明・考案が公知である。
【０００３】
この種の吐出容器の特に上部ポンプ機構には、ノズル、ノズルヘッド、キャップなど、内容物が付着して汚れやすい部品が集中している。しかし、これらは太さや形状が異なり凹凸があるので、汚れをきれいに拭き取るのが難しかった。
【０００４】
下記特許文献２では、汚れをふき取るのが目的ではないが、吐出容器の上部にカバーを設けている。
【先行技術文献】
【特許文献】
【０００５】
【特許文献１】特開昭６３―５５０６９
【特許文献２】実用新案登録第３１８２４０８号
【考案の概要】
【考案が解決しようとする課題】
【０００６】
しかし、特許文献２のカバーは押し下げ部やノズルの大半を露出させるものであり、汚れ防止に十分なものではない。
【０００７】
本考案は、この問題を解決するために行われたもので、吐出容器の上部ポンプ機構のほぼ全部をカバーで覆うことにより、汚れを防止するのではなく、汚れを覆い隠して、美観を保つことを目的とする。
【課題を解決するための手段】
【０００８】
上記目的を達成する本考案は、容器本体と、その容器本体に設けられたポンプ機構を有するポンプ付き吐出容器において、前記ポンプ機構のうち前記容器本体に内蔵されている部品を除く部分のほぼすべてを可撓性のある軟質樹脂のカバーで被覆したことを特徴とする（請求項１）。
【０００９】
好ましくは、前記カバーの最下端は容器本体の最上端にねじ込み又ははめ込みにより固定されており、前記カバーの最上端は前記前記ポンプ機構の最上端に位置するノズルヘッドを被覆しており、前記カバーの最上端から最下端までは、ノズルヘッド部分を除き、なだらかな曲線により形成されている（請求項２）。
【００１０】
好ましくは、前記カバーを構成する前記軟質樹脂の硬度が４０〜９０（ショアＡ硬度）である（請求項３）。
【００１１】
好ましくは、前記カバーを構成する可撓性のある軟質樹脂はシリコーンゴム、ウレタンゴム、フッ素ゴムのいずれかである（請求項４）。
【考案の効果】
【００１２】
本考案によれば、前記ポンプ機構のうち前記容器本体に内蔵されている部品を除く部分のポンプ機構のほぼすべてが可撓性のある軟質樹脂のカバーで被覆されている。したがって、この部分のポンプ機構周辺に発生しやすい汚れを完全に覆い隠すことができる。
【００１３】
また、この部分のポンプ機構周辺の凹凸をなくすことができるので、容器の美観を向上させることができる。
【００１４】
以下、添付の図面に基づいて、本考案の実施例を説明する。
【図面の簡単な説明】
【００１５】
【図１】（ａ）自然状態における本考案実施例の吐出容器の斜視図である。（ｂ）同容器のポンプ押し下げ状態を示す斜視図である。
【図２】自然状態における同容器の（ａ）正面図、（ｂ）背面図、（ｃ）側面図、（ｄ）平面図、（ｅ）底面図である。
【図３】（ａ）自然状態における本考案実施例の吐出容器の断面図である。（ｂ）同容器のポンプ押し下げ状態を示す断面図である。
【考案を実施するための形態】
【００１６】
各図、特に図３に示すように、本実施例のポンプ付き吐出容器１は、全体の２/３を占める下部の容器本体２（内容物貯蔵部）と、上部１/３を占めるポンプ機構３（図３）を有する。厳密に言うと、ポンプ機構３は容器本体２内部にも伸びているので、上部１/３を占めるポンプ機構３を「ポンプ機構のうち容器本体に内蔵されている部品を除く部分」と呼び、「上部ポンプ機構」と略称することもある。
【００１７】
本考案においては容器本体２及びポンプ機構３は要部ではないので、どのようなものであってもよく、それ自体公知のもので十分である。
【００１８】
概略すると、図３に示すように、本吐出容器のポンプ機構３は、同種の装置と同じく、キャップ３１、シリンダ３２、ステム３３、ノズルヘッド３４、吸い込み管３５を有する。
【００１９】
キャップ３１は容器本体２にねじ込みにより固定されている。シリンダ３２はこのキャップ３１の容器本体２への固定に伴って容器本体２の内部に固定される。ステム３２はこのシリンダ３２内を上下動が可能なように伸びている。ノズルヘッド３４もステム３３の上端と嵌りあっており、上下動が可能である。吸い込み管３５はシリンダ３２の下端には取り付けられて、内容物の吸い込みが可能である。図示しないが、シリンダ３２及びその周辺にはピストン、ポベット、バネ、ボールなどが内蔵されている。
【００２０】
本ポンプ容器１の動作は従来のポンプ容器と同様であるため、ここでは説明を省略する。
【００２１】
本考案にとって特徴的なのは、容器本体２に内蔵されている部品を除くポンプ機構３全体が可撓性のある軟質樹脂のカバー４で被覆されていることである。すなわち、図３に示すように、カバー４の最下端４１は容器本体２の最上端にねじ込み又ははめ込みにより固定されており、カバー４の最上端はノズルヘッド３４を被覆している。カバー４の最上端から最下端までは、ノズルヘッド３４部分を除き、なだらかな曲線により形成されている。図１（ａ）から明らかなように、このカバー４により、上部ポンプ機構３全体が完全に被覆されて外部から見えなくなっている。
【００２２】
カバー４を構成する軟質樹脂としては、可撓性のある軟質樹脂としては、ゴム状の弾性を有するエラストマーが好適に用いられる。軟質樹脂の硬度としては４０〜９０（ショアＡ硬度）が好ましい。素材としては、たとえばシリコーンゴム、ウレタンゴム、フッ素ゴムなどを例示することができる。特にシリコーンゴムが好ましい。
【００２３】
本考案のポンプ容器１の使用法は従来のポンプ容器と同じである。ノズルヘッドを被覆するカバー部分４２を指で押し下げると、図１（ｂ）及び図３（ｂ）のように、カバー４の中間部４３がたわみ、凹みを形成しながら、ノズルヘッド３４が降下する。カバー４は押し下げている力を解除すると復元する。
【００２４】
本考案のカバー４を使用することで、容器表面、特に上部ポンプ機構３周辺の汚れを見えなくすることができる。また、ポンプ機構周辺の凹凸をなくすことができるので、容器の美観を向上させることができる。
【００２５】
カバー４はもちろん取り外すことができ、取り外してからポンプ機構３周辺を清掃することができるのは言うまでもない。
【符号の説明】
【００２６】
１     ポンプ容器
２     容器本体
３     ポンプ機構
３１   キャップ
３２   シリンダ
３２   ステム
３２   シリンダ
３３   ステム
３４   ノズルヘッド
３５   吸い込み管
４     カバー
４１   最下端
４２   カバー部分
４３   中間部
【図１】
0003212641.tif 000003
【図２】
0003212641.tif 000004
【図３】
0003212641.tif 000005